(57)【要約】【課題】本発明は、血液、体液などによる汚染を防ぎ、且つ検査着などの防護衣の下に着ている衣服に収納されている物品を取り出す作業を行ないやすい防護衣を提供することを最も主要な特徴とする。【解決手段】医療検査および処置の際に従事者が着用する防護衣１に、防護衣１の外から内側にアプローチするためのスリット１７と、このスリット１７を覆うように設けられ、防護衣１の内側へのアプローチ用の開口部２１を有するカバー部材１８とを設け、開口部２１は、スリット１７と対向しない位置に配置されているものである。【選択図】      図１
2005350821.tif 000002
【特許請求の範囲】
【請求項１】
医療検査および処置の際に従事者が着用する防護衣であって、
前記防護衣は、前記防護衣の外から内側にアプローチするためのスリットと、
前記スリットを覆うように設けられ、前記防護衣の内側へのアプローチ用の開口部を有するカバー部材とを有し、
前記開口部は、前記スリットと対向しない位置に配置されていることを特徴とする防護衣。
【請求項２】
前記防護衣は、従事者が前記防護衣の内側に着用する衣服のポケット位置と対応する位置に前記スリットが配置されていることを特徴とする請求項１に記載の防護衣。
【請求項３】
前記カバー部材は、前記アプローチ用の開口部を開閉可能に閉塞する閉塞手段を有することを特徴とする請求項１に記載の防護衣。
【請求項４】
前記カバー部材は、物品を収容可能なポケットによって形成されていることを特徴とする請求項１に記載の防護衣。
【請求項５】
前記防護衣の内側面が、撥水性に優れた撥水材料によって形成されていることを特徴とする請求項１に記載の防護衣。
【発明の詳細な説明】
【技術分野】
【０００１】
本発明は、例えば内視鏡検査などの医療検査や処置等を行う際に、医師や看護師等の従事者が検査室等で衣服の上に着用する防護衣に関する。
【背景技術】
【０００２】
一般に、内視鏡検査や、処置等を行う際に、医師や看護師等の従事者は、検査室等の室内で衣服の上に検査着を着用することが普通である。この検査着として、特許文献１には、手術の際に従事者が着用する使い捨ての手術着で、手術用具収納用ポケットが設けられた手術着が示されている。この手術着の素材は、不織布である。この不織布は、吸水性に優れた素材であり、内視鏡検査や、処置等を行う際に、例えば血液や、体液などの汚れが手術着に付着した場合にその汚れが手術着に拡散される。これにより、血液や、体液などの汚れが手術着に付着した状態で吸収されることにより、周囲に飛散することが防止されている。さらに、検査着は、血液、体液などの浸透を防止するために撥水加工の施された不繊布を用いられることもある。この検査着は、例えば不繊布に撥水性のフィルムを貼り付けて撥水加工が施されたものである。
【０００３】
また、特許文献１には、手術の際に従事者が着用する使い捨ての手術着で、手術用具収納用ポケットが設けられた手術着が示されている。この手術着の正面側には、２つのポケットが横に並べて配置されている。この手術着およびポケットの素材は、「不織布」である。このポケットの形状は、「上部開放袋」であり、「入り口部分が硬質」である。
【特許文献１】特開２００１−６４８０８号公報
【発明の開示】
【発明が解決しようとする課題】
【０００４】
従来の検査着では、医師や看護師等の従事者が検査着を着用した状態で、内視鏡検査や、処置等を行う際に、検査着の下に着ている衣服に収納されている物品を取り出す作業が行いにくい問題がある。すなわち、従事者が検査着を着用している状態で、検査着の下に着ている衣服に収納されている物品を取り出す作業を行なう場合には検査着の首の部分や、裾の部分などの開口部分から検査着の内側に手を差し入れて取り出す必要があり、手間がかかる。
【０００５】
本発明は上記事情に着目してなされたもので、その目的は、血液、体液などによる汚染を防ぎ、且つ検査着などの防護衣の下に着ている衣服に収納されている物品を取り出す作業を行ないやすい防護衣を提供することにある。
【課題を解決するための手段】
【０００６】
請求項１の発明は、医療検査および処置の際に従事者が着用する防護衣であって、前記防護衣は、前記防護衣の外から内側にアプローチするためのスリットと、前記スリットを覆うように設けられ、前記防護衣の内側へのアプローチ用の開口部を有するカバー部材とを有し、前記開口部は、前記スリットと対向しない位置に配置されていることを特徴とする防護衣である。  
そして、本請求項１の発明では、医療検査および処置の際に従事者が着用する防護衣のアプローチ用のスリットをカバー部材で覆うことにより、例えば血液や、体液などの汚れが防護衣のスリットを通して防護衣の下の衣服側に直接侵入することを防止する。さらに、スリットと対向しない位置に配置されているカバー部材のアプローチ用の開口部からスリットに手を差し込むことにより、防護衣の外から防護衣の内側にアプローチするようにしたものである。
【０００７】
請求項２の発明は、前記防護衣は、従事者が前記防護衣の内側に着用する衣服のポケット位置と対応する位置に前記スリットが配置されていることを特徴とする請求項１に記載の防護衣である。  
そして、本請求項２の発明では、従事者が防護衣の内側に着用する衣服のポケット位置と対応する位置に配置されている防護衣のスリットに手を差し込むことにより、防護衣の外から防護衣の内側にアプローチして防護衣の内側の衣服のポケットに物品を出し入れできるようにしたものである。
【０００８】
請求項３の発明は、前記カバー部材は、前記アプローチ用の開口部を開閉可能に閉塞する閉塞手段を有することを特徴とする請求項１に記載の防護衣である。  
そして、本請求項３の発明では、カバー部材の閉塞手段によってアプローチ用の開口部を開閉可能に閉塞するようにしたものである。
【０００９】
請求項４の発明は、前記カバー部材は、物品を収容可能なポケットによって形成されていることを特徴とする請求項１に記載の防護衣である。  
そして、本請求項４の発明では、カバー部材のポケットに物品を収容できるようにしたものである。
【００１０】
請求項５の発明は、前記防護衣の内側面が、撥水性に優れた撥水材料によって形成されていることを特徴とする請求項１に記載の防護衣である。  
そして、本請求項５の発明では、内側面が撥水性に優れた撥水材料を使用した防護衣を着用することにより、防護衣に付着した血液、体液などの汚れが防護衣の内側の衣服側に浸透することが防止されるようにしたものである。
【発明の効果】
【００１１】
本発明によれば、血液、体液などによる汚染を防ぎ、且つ検査着などの防護衣の下に着ている衣服に収納されている物品を取り出す作業を行ないやすい防護衣を提供することができる。
【発明を実施するための最良の形態】
【００１２】
以下、本発明の第１の実施の形態を図１（Ａ），（Ｂ）乃至図３を参照して説明する。
【００１３】
図１（Ａ），（Ｂ）は本実施の形態の防護衣１の着用状態を示すものである。防護衣１は、例えば内視鏡検査などの医療検査や処置等を行う際に、医師や看護師等の従事者Ｈが検査室等で衣服２の上に着用する検査着である。この防護衣１の主な素材は、吸水性に優れた不織布である。さらに、防護衣１の不織布の内面側には、撥水性のフィルムを貼り付けて撥水加工が施されている。
【００１４】
そして、防護衣１の外面側は吸水性に優れた不織布により構成されていることにより、内視鏡検査や、処置等を行う際に、例えば血液や、体液などの汚れが防護衣１に付着した場合にその汚れが防護衣１に拡散される。これにより、血液や、体液などの汚れが防護衣１に付着した状態で吸収されることにより、周囲に飛散することが防止されている。さらに、防護衣１の不織布の内面側は撥水加工が施されていることにより、血液、体液などの浸透が防止される。なお、防護衣１の色は、例えば血液や、体液などの汚れが明確に識別できる色、例えば白や、ライトグレイ、薄緑、ピンク、薄青などの淡彩色の素材が用いられている。
【００１５】
防護衣１は、従事者Ｈの上半身から下半身の途中位置までを覆う状態で延設された胴体カバー部（胴体部）３と、この胴体カバー部３の上端部に形成された首通し部４と、従事者Ｈの両腕を覆う左右一対の袖部５，６とを有する。胴体カバー部３は、図１（Ａ）に示すように従事者Ｈの正面部分全体を覆う正面カバー７と、この正面カバー７の左右に配置され、図１（Ｂ）、図３に示すように従事者Ｈの背面側に回り込む状態で延出される左右一対の背面カバー８，９とを有する。
【００１６】
さらに、正面カバー７には細長いウエスト紐１０の中央部分を固定するウエスト紐固定部１１が設けられている。このウエスト紐固定部１１は、正面カバー７の上下方向および左右方向のほぼ中央部位に配置されている。そして、防護衣１の着用時にはウエスト紐１０を従事者Ｈの身体に巻きつけた状態でウエスト紐１０の両端部間を結ぶことにより、防護衣１を従事者Ｈの身体に固定するようになっている。また、左右の袖部５，６の先端部には袖口を絞った袖口部５ａ，６ａ（図１（Ａ）中に左側の袖口部５ａのみを示す）がそれぞれ形成されている。
【００１７】
防護衣１の背面側には衣服の両端を合わせる合わせ端部１２を有する。この合わせ端部１２は、図１（Ｂ）に示すように左右の背面カバー８，９の上部の首通し部４の近傍部分に配置されている。そして、この合わせ端部１２の部分に例えば、マジックテープ（登録商標）や、面ファスナー、ホックなどの係合部材で係脱可能に係合されて連結される連結部１３が設けられている。
【００１８】
さらに、背面カバー８，９は、合わせ端部１２よりも下側部分に通気口（通気部）１４を有する。この通気口１４は、従事者Ｈの背面部分を比較的広い面積で開口させた開口部１５によって形成されている。
【００１９】
また、本実施の形態の防護衣１の正面カバー７は、この防護衣１の外から内側にアプローチするためのアプローチ部１６を有する。このアプローチ部１６は、防護衣１に形成されたスリット１７と、このスリット１７を覆うように設けられ、ほぼ矩形状で、かつシート状のカバー部材１８とを有する。このアプローチ部１６は、例えば図２（Ａ）に示すように従事者Ｈが防護衣１の内側に着用する衣服２の胸ポケット１９の位置と対応する位置に配置されている。
【００２０】
スリット１７は、図３に示すように防護衣１の正面カバー７の左右方向に向けて横向きに直線状に切り込まれた切り込みによって形成されている。このスリット１７は、図２（Ｂ）に示すように従事者Ｈの防護衣１の下に着用する衣服２の胸ポケット１９の出し入れ口となる上端開口部１９ａの位置に合わせて配置されている。さらに、スリット１７の長さは、例えば胸ポケット１９の上端開口部１９ａの横幅よりも大きくなる程度に設定されている。
【００２１】
カバー部材１８は、図３に示すように例えば両側の端縁部および下側の端縁部にそれぞれ防護衣１の正面カバー７に縫い付けられた縫い付け部２０が形成されている。さらに、カバー部材１８の上側の端縁部は正面カバー７に縫い付けられていないままの状態で保持されている。これにより、カバー部材１８の上側の端縁部によって防護衣１の内側へのアプローチ用の開口部２１が形成されている。この開口部２１は、スリット１７と対向しない位置に配置されている。
【００２２】
次に、上記構成の作用について説明する。本実施の形態の防護衣１は、医師や看護師等の従事者Ｈが検査室等で衣服２の上に着用する。この防護衣１の着用時には、従事者Ｈの両腕を左右の袖部５，６に挿通した状態で、防護衣１の背面側で首通し部４の近傍部分の左右の背面カバー８，９の合わせ端部１２を合わせる。この状態で、合わせ端部１２の部分の連結部１３を連結する。その後、ウエスト紐１０を防護衣１の上から従事者Ｈの身体に巻きつけた状態でウエスト紐１０の両端部間を結ぶことにより、防護衣１を従事者Ｈの身体に固定する。
【００２３】
このように医師や看護師等の従事者Ｈが衣服２の上に防護衣１を着用した状態で、例えば内視鏡検査などの医療検査や処置等が行われる。この内視鏡検査などの医療検査や処置等の作業時に、検査室等の室内に飛散する汚れ、例えば血液や、体液などの汚れは主に防護衣１の正面カバー７に付着する。このように、例えば血液や、体液などの汚れが防護衣１の正面カバー７に付着した場合には、その汚れが防護衣１に拡散される。これにより、血液や、体液などの汚れが防護衣１に付着した状態で吸収されることにより、周囲に飛散することが防止される。
【００２４】
また、検査室等の室内に飛散する汚れ、例えば血液や、体液などの汚れが防護衣１の正面カバー７に付着する場合、アプローチ部１６では血液や、体液などの汚れは外に露出されているカバー部材１８のみに付着する。そして、このカバー部材１８によって血液や、体液などの汚れがアプローチ部１６のスリット１７に直接的に侵入することが防止される。
【００２５】
また、防護衣１に付着した血液、体液などの汚れは、防護衣１の不織布の内面側の撥水加工部によって防護衣１の不織布の内面側に浸透されることが防止される。これにより、防護衣１の内側の衣服２に血液、体液などの汚れが付着することが防止される。
【００２６】
さらに、内視鏡検査などの医療検査や処置等の作業時に、従事者Ｈが防護衣１の下に着用する衣服２の胸ポケット１９に収納している物品２２、例えばペンや、携帯電話などを使用したい場合がある。このように防護衣１の下の衣服２の胸ポケット１９の物品２２を取り出す作業時には防護衣１のアプローチ部１６が使用される。このとき、従事者Ｈは図３中に矢印で示すようにアプローチ部１６のカバー部材１８の上側の端縁部のアプローチ用の開口部２１に手指を挿入する。その後、防護衣１のスリット１７から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット１７およびカバー部材１８の上側の端縁部の開口部２１を順次介して防護衣１の外側に取り出す。
【００２７】
そこで、上記構成のものにあっては次の効果を奏する。すなわち、本実施の形態の防護衣１は、防護衣１に、防護衣１の外から内側にアプローチするためのスリット１７と、このスリット１７を覆うように設けられ、防護衣１の内側へのアプローチ用の開口部２１を有するカバー部材１８とを設け、開口部２１は、スリット１７と対向しない位置に配置している。これにより、医療検査および処置の際に従事者Ｈが着用する防護衣１のアプローチ用のスリット１７をカバー部材１８で覆っているので、例えば血液や、体液などの汚れが防護衣１のスリット１７を通して防護衣１の下の衣服２側に直接侵入することを防止することができる。さらに、スリット１７と対向しない位置に配置されているカバー部材１８のアプローチ用の開口部２１からスリット１７に手を差し込むことにより、防護衣１の外から防護衣１の内側に簡単にアプローチすることができる。その結果、血液、体液などによる汚染を防ぎ、且つ検査着などの防護衣１の下に着ている衣服２に収納されている物品２２を取り出す作業を行ないやすい防護衣１を提供することができる。
【００２８】
また、図４は本発明の第２の実施の形態を示すものである。本実施の形態は第１の実施の形態（図１（Ａ），（Ｂ）乃至図３参照）の防護衣１のアプローチ部１６の構成を次の通り変更したものである。
【００２９】
すなわち、本実施の形態の防護衣１のアプローチ部３１は、カバー部材１８の両側の端縁部にそれぞれ防護衣１の正面カバー７に縫い付けられた縫い付け部２０が形成されている。さらに、カバー部材１８の上側の端縁部および下側の端縁部は正面カバー７に縫い付けられていないままの状態で保持されている。これにより、カバー部材１８の上側の端縁部によって防護衣１の内側へのアプローチ用の開口部２１が形成されるとともに、カバー部材１８の下側の端縁部にも防護衣１の内側へのアプローチ用の開口部３２が形成されている。これらの開口部２１、３２は、スリット１７と対向しない位置に配置されている。
【００３０】
そして、本実施の形態の防護衣１のアプローチ部３１の使用時には、カバー部材１８の上側の開口部２１から手指を挿入するだけでなく、必要に応じてカバー部材１８の下側の開口部３２からも手指を挿入することができる。その後は、第１の実施の形態と同様に防護衣１のスリット１７から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット１７およびカバー部材１８の上側の開口部２１、または下側の開口部３２を順次介して防護衣１の外側に取り出す。
【００３１】
そこで、上記構成のものにあっては次の効果を奏する。すなわち、本実施の形態の防護衣１では、アプローチ部３１のカバー部材１８の上側の開口部２１と、下側の開口部３２とを設けている。そのため、防護衣１のアプローチ部３１の使用時には、必要に応じて上側の開口部２１と、下側の開口部３２とを選択的に使用できるので、防護衣１のアプローチ部３１の使い勝手をさらに高めることができる。
【００３２】
また、図５は本発明の第３の実施の形態を示すものである。本実施の形態は第１の実施の形態（図１（Ａ），（Ｂ）乃至図３参照）の防護衣１のアプローチ部１６の構成を次の通り変更したものである。
【００３３】
すなわち、本実施の形態の防護衣１のアプローチ部４１は、第１の実施の形態のアプローチ部１６のカバー部材１８の上側の開口部２１の近傍部位に開口部２１を開閉可能に閉塞するホック４２などの係合部材（閉塞手段）を設けたものである。このホック４２は防護衣１の正面カバー７側に固定される受け部材と、カバー部材１８側に固定される係脱操作部材とを有する。
【００３４】
そして、カバー部材１８側のホック４２の係脱操作部材が正面カバー７側の受け部材に係脱可能に係合される。ここで、ホック４２の係脱操作部材と受け部材とが係合解除されている状態ではカバー部材１８の上側の開口部２１は開状態で保持される。ホック４２の係脱操作部材と受け部材とが係合されている状態ではカバー部材１８の上側の開口部２１は閉じられる。なお、ホック４２に代えて、例えば、マジックテープ（登録商標）や、面ファスナー、ボタンなどを使用しても良い。
【００３５】
そこで、上記構成のものにあっては次の効果を奏する。すなわち、本実施の形態の防護衣１のアプローチ部４１ではカバー部材１８の上側の開口部２１の近傍部位にホック４２などの係合部材を設けたので、ホック４２の係脱操作部材と受け部材とが係合解除されている状態ではカバー部材１８の上側の開口部２１は開状態で保持されている状態では第１の実施の形態のアプローチ部１６と同様に使用することができる。さらに、ホック４２の係脱操作部材と受け部材とが係合されている状態ではカバー部材１８の上側の開口部２１は閉じられるので、例えば血液や、体液などの汚れが防護衣１のスリット１７を通して防護衣１の下の衣服２側に直接侵入することを確実に防止することができる。
【００３６】
また、図６は本発明の第４の実施の形態を示すものである。本実施の形態は第１の実施の形態（図１（Ａ），（Ｂ）乃至図３参照）の防護衣１のアプローチ部１６の構成を次の通り変更したものである。
【００３７】
すなわち、本実施の形態の防護衣１のアプローチ部５１は、カバー部材１８の両側の端縁部および上側の端縁部にそれぞれ防護衣１の正面カバー７に縫い付けられた縫い付け部２０が形成されている。さらに、カバー部材１８の下側の端縁部は正面カバー７に縫い付けられていないままの状態で保持されている。これにより、カバー部材１８の下側の端縁部によって防護衣１の内側へのアプローチ用の開口部５２が形成されている。この開口部５２は、スリット１７と対向しない位置に配置されている。
【００３８】
そして、本実施の形態の防護衣１のアプローチ部５１の使用時には、カバー部材１８の下側の開口部５２から手指を挿入することができる。その後は、第１の実施の形態と同様に防護衣１のスリット１７から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット１７およびカバー部材１８の下側の開口部５２を順次介して防護衣１の外側に取り出す。
【００３９】
そこで、上記構成のものにあっては次の効果を奏する。すなわち、本実施の形態の防護衣１では、アプローチ部５１のカバー部材１８の下側にアプローチ用の開口部５２が形成されているので、この下側開口部５２を通してから手指を挿入した後、第１の実施の形態と同様に防護衣１のスリット１７から手指を防護衣１の内側に挿入し、防護衣１の下の衣服２の胸ポケット１９の物品２２にアプローチすることができる。そのため、第１の実施の形態と同様、血液、体液などによる汚染を防ぎ、且つ検査着などの防護衣１の下に着ている衣服２に収納されている物品２２を取り出す作業を行ないやすい防護衣１を提供することができる。
【００４０】
さらに、本実施の形態ではアプローチ部５１ではカバー部材１８の上側の端縁部に縫い付け部２０が形成されているので、アプローチ部３１の上側から防護衣１のスリット１７に汚物などが浸入する事を確実に防止できる。
【００４１】
また、図７（Ａ），（Ｂ）は本発明の第５の実施の形態を示すものである。本実施の形態は第１の実施の形態（図１（Ａ），（Ｂ）乃至図３参照）の防護衣１のアプローチ部１６の構成を次の通り変更したものである。
【００４２】
すなわち、本実施の形態の防護衣１のアプローチ部６１は、防護衣１の正面カバー７の上下方向に向けて縦向きに直線状に切り込まれたスリット６２と、このスリット６２を覆うように設けられ、ほぼ矩形状で、かつシート状のカバー部材６３とを有する。
【００４３】
カバー部材６３は、図７（Ｂ）に示すように例えば上側の端縁部および下側の端縁部にそれぞれ防護衣１の正面カバー７に縫い付けられた縫い付け部６４が形成されている。さらに、カバー部材６３の両側の端縁部はそれぞれ正面カバー７に縫い付けられていないままの状態で保持されている。これにより、カバー部材６３の両側の端縁部によって防護衣１の内側へのアプローチ用の開口部６５がそれぞれ形成されている。これらの開口部６５は、スリット６２と対向しない位置に配置されている。
【００４４】
次に、上記構成の作用について説明する。本実施の形態の防護衣１の着用時に従事者Ｈが防護衣１の下に着用する衣服２の胸ポケット１９に収納している物品２２（図２（Ａ），（Ｂ）参照）を防護衣１の外側に取り出す場合にはアプローチ部６１が使用される。このとき、従事者Ｈは図７（Ｂ）中に矢印で示すようにアプローチ部６１のカバー部材６３の左右の端縁部のいずれか一方のアプローチ用の開口部６５に手指を挿入する。その後、防護衣１のスリット６２から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット６２およびカバー部材６３の左右の開口部６５のいずれか一方を順次介して防護衣１の外側に取り出す。
【００４５】
そこで、上記構成のものにあっては次の効果を奏する。すなわち、本実施の形態の防護衣１のアプローチ部６１は、縦型のスリット６２と、このスリット６２を覆うカバー部材６３とを設けるとともに、カバー部材６３の両側に防護衣１の内側へのアプローチ用の開口部６５を設け、開口部６５は、スリット６２と対向しない位置に配置している。これにより、医療検査および処置の際に従事者Ｈが着用する防護衣１のアプローチ用のスリット６２をカバー部材６３で覆っているので、例えば血液や、体液などの汚れが防護衣１のスリット６２を通して防護衣１の下の衣服２側に直接侵入することを防止することができる。さらに、スリット６２と対向しない位置に配置されているカバー部材６３のアプローチ用の開口部６５からスリット６２に手を差し込むことにより、防護衣１の外から防護衣１の内側に簡単にアプローチすることができる。その結果、血液、体液などによる汚染を防ぎ、且つ検査着などの防護衣１の下に着ている衣服２に収納されている物品２２を取り出す作業を行ないやすい防護衣１を提供することができる。
【００４６】
また、図８（Ａ），（Ｂ）は本発明の第６の実施の形態を示すものである。本実施の形態は第１の実施の形態（図１（Ａ），（Ｂ）乃至図３参照）の防護衣１のアプローチ部１６の構成を次の通り変更したものである。
【００４７】
すなわち、本実施の形態の防護衣１のアプローチ部７１は、第１の実施の形態のアプローチ部１６と同様に防護衣１の正面カバー７の左右方向に向けて横向きに直線状に切り込まれた切り込みによって形成されたスリット７２と、このスリット７２を覆うように設けられたポケット部７３とを有する。
【００４８】
ポケット部７３は、図８（Ｂ）に示すように袋状のポケット本体７４を有する。このポケット本体７４の下端部はスリット７２の下方向に延設されている。そして、このポケット本体７４は、両側の端縁部および下側の端縁部にそれぞれ防護衣１の正面カバー７に縫い付けられた縫い付け部７５が形成されている。さらに、ポケット本体７４の上側の端縁部は正面カバー７に縫い付けられていないままの状態で保持されている。これにより、ポケット本体７４の上側の端縁部によって防護衣１の内側へのアプローチ用の開口部７６が形成されている。この開口部７６は、スリット７２と対向しない位置に配置されている。
【００４９】
次に、上記構成の作用について説明する。本実施の形態の防護衣１の着用時に従事者Ｈが防護衣１の下に着用する衣服２の胸ポケット１９に収納している物品２２（図２（Ａ），（Ｂ）参照）を防護衣１の外側に取り出す場合にはアプローチ部７１が使用される。このとき、従事者Ｈは図８（Ｂ）中に矢印で示すようにアプローチ部７１のポケット本体７４の上側の端縁部のアプローチ用の開口部７６に手指を挿入する。その後、防護衣１のスリット７２から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット７２およびポケット本体７４の上側の開口部７６を順次介して防護衣１の外側に取り出す。
【００５０】
また、防護衣１のポケット部７３内には必要に応じてポケット本体７４の上側の端縁部のアプローチ用の開口部７６から例えば内視鏡検査などの医療検査や処置等を行う際に使用される物品２２などを出し入れして収納することができる。
【００５１】
そこで、上記構成のものにあっては次の効果を奏する。すなわち、本実施の形態の防護衣１のアプローチ部７１は、横長のスリット７２と、このスリット７２を覆うポケット部７３とを設けるとともに、ポケット本体７４の上側開口部７６は、スリット７２と対向しない位置に配置している。これにより、医療検査および処置の際に従事者Ｈが着用する防護衣１のアプローチ用のスリット７２をポケット本体７４で覆っているので、例えば血液や、体液などの汚れが防護衣１のスリット７２を通して防護衣１の下の衣服２側に直接侵入することを防止することができる。さらに、スリット７２と対向しない位置に配置されているポケット本体７４のアプローチ用の開口部７６からスリット７２に手を差し込むことにより、防護衣１の外から防護衣１の内側に簡単にアプローチすることができる。その結果、血液、体液などによる汚染を防ぎ、且つ検査着などの防護衣１の下に着ている衣服２に収納されている物品２２を取り出す作業を行ないやすい防護衣１を提供することができる。
【００５２】
さらに、本実施の形態では防護衣１のポケット部７３内には必要に応じてポケット本体７４の上側開口部７６から例えば内視鏡検査などの医療検査や処置等を行う際に使用される物品２２などを出し入れして収納することができる。そのため、防護衣１の使い勝手をさらに高めることができる。
【００５３】
また、図９は本発明の第７の実施の形態を示すものである。本実施の形態は第６の実施の形態（図８（Ａ），（Ｂ）参照）の防護衣１のアプローチ部７１の構成を次の通り変更したものである。
【００５４】
すなわち、本実施の形態の防護衣１のアプローチ部８１は、防護衣１の正面カバー７の上下方向に向けて縦向きに直線状に切り込まれた切り込みによって形成されたスリット８２と、このスリット８２を覆うように設けられたポケット部８３とを有する。
【００５５】
ポケット部８３は、袋状のポケット本体８４を有する。このポケット本体８４は、上下の端縁部および一側部側の端縁部にそれぞれ防護衣１の正面カバー７に縫い付けられた縫い付け部８５が形成されている。さらに、ポケット本体８４の他側部側の端縁部は正面カバー７に縫い付けられていないままの状態で保持されている。これにより、ポケット本体８４の他側部側の端縁部によって防護衣１の内側へのアプローチ用の開口部８６が形成されている。この開口部８６は、スリット８２と対向しない位置に配置されている。
【００５６】
また、ポケット部８３の側部開口部８６の近傍部位には例えば布地を折り返して他の部分よりも硬くした硬質部８７が形成されている。この硬質部８７は布地の折り返し部に補強用の心材を巻きつけても良い。
【００５７】
次に、上記構成の作用について説明する。本実施の形態の防護衣１の着用時に従事者Ｈが防護衣１の下に着用する衣服２の胸ポケット１９に収納している物品２２（図２（Ａ），（Ｂ）参照）を防護衣１の外側に取り出す場合にはアプローチ部８１が使用される。このとき、従事者Ｈは図９中に矢印で示すようにアプローチ部８１のポケット本体８４の側部のアプローチ用の開口部８６に手指を挿入する。その後、防護衣１のスリット８２から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット８２およびポケット本体８４の側部の開口部８６を順次介して防護衣１の外側に取り出す。
【００５８】
また、防護衣１のポケット部８３内には必要に応じてポケット本体８４の側部のアプローチ用の開口部８６から例えば内視鏡検査などの医療検査や処置等を行う際に使用される物品２２などを出し入れして収納することができる。
【００５９】
そこで、上記構成のものにあっては次の効果を奏する。すなわち、本実施の形態の防護衣１のアプローチ部８１は、縦長のスリット８２と、このスリット８２を覆うポケット部８３とを設けるとともに、ポケット本体８４の側部開口部８６は、スリット８２と対向しない位置に配置している。これにより、医療検査および処置の際に従事者Ｈが着用する防護衣１のアプローチ用のスリット８２をポケット本体８４で覆っているので、例えば血液や、体液などの汚れが防護衣１のスリット８２を通して防護衣１の下の衣服２側に直接侵入することを防止することができる。さらに、スリット８２と対向しない位置に配置されているポケット本体８４のアプローチ用の開口部８６からスリット８２に手を差し込むことにより、防護衣１の外から防護衣１の内側に簡単にアプローチすることができる。その結果、血液、体液などによる汚染を防ぎ、且つ検査着などの防護衣１の下に着ている衣服２に収納されている物品２２を取り出す作業を行ないやすい防護衣１を提供することができる。
【００６０】
さらに、本実施の形態では防護衣１のポケット部８３内には必要に応じてポケット本体８４の側部開口部８６から例えば内視鏡検査などの医療検査や処置等を行う際に使用される物品２２などを出し入れして収納することができる。そのため、防護衣１の使い勝手をさらに高めることができる。
【００６１】
また、図１０（Ａ）は本発明の第８の実施の形態を示すものである。本実施の形態は第６の実施の形態（図８（Ａ），（Ｂ）参照）の防護衣１のアプローチ部７１の構成を次の通り変更したものである。
【００６２】
すなわち、本実施の形態の防護衣１のアプローチ部９１は、防護衣１の正面カバー７の上下方向に向けて縦向きに直線状に切り込まれた切り込みによって形成されたスリット９２と、このスリット９２を覆うように設けられたポケット部９３とを有する。
【００６３】
ポケット部９３は、袋状のポケット本体９４を有する。このポケット本体９４は、左右の端縁部および下側の端縁部にそれぞれ防護衣１の正面カバー７に縫い付けられた縫い付け部９５が形成されている。さらに、ポケット本体９４の上側の端縁部は正面カバー７に縫い付けられていないままの状態で保持されている。これにより、ポケット本体９４の上側の端縁部によって防護衣１の内側へのアプローチ用の開口部９６が形成されている。この開口部９６は、スリット９２と対向しない位置に配置されている。
【００６４】
また、ポケット部９３の上側開口部９６の近傍部位には例えば布地を折り返して他の部分よりも硬くした硬質部９７が形成されている。この硬質部９７は布地の折り返し部に補強用の心材を巻きつけても良い。
【００６５】
次に、上記構成の作用について説明する。本実施の形態の防護衣１の着用時に従事者Ｈが防護衣１の下に着用する衣服２の胸ポケット１９に収納している物品２２（図２（Ａ），（Ｂ）参照）を防護衣１の外側に取り出す場合にはアプローチ部９１が使用される。このとき、従事者Ｈは図１０（Ａ）中に矢印で示すようにアプローチ部９１のポケット本体９４の上側のアプローチ用の開口部９６に手指を挿入する。その後、防護衣１のスリット９２から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット９２およびポケット本体９４の上側の開口部９６を順次介して防護衣１の外側に取り出す。
【００６６】
また、防護衣１のポケット部９３内には必要に応じてポケット本体９４の上側のアプローチ用の開口部９６から例えば内視鏡検査などの医療検査や処置等を行う際に使用される物品２２などを出し入れして収納することができる。
【００６７】
そこで、上記構成のものにあっては次の効果を奏する。すなわち、本実施の形態の防護衣１のアプローチ部９１は、縦長のスリット９２と、このスリット９２を覆うポケット部９３とを設けるとともに、ポケット本体９４の上側開口部９６は、スリット９２と対向しない位置に配置している。これにより、医療検査および処置の際に従事者Ｈが着用する防護衣１のアプローチ用のスリット９２をポケット本体９４で覆っているので、例えば血液や、体液などの汚れが防護衣１のスリット９２を通して防護衣１の下の衣服２側に直接侵入することを防止することができる。さらに、スリット９２と対向しない位置に配置されているポケット本体９４のアプローチ用の開口部９６からスリット９２に手を差し込むことにより、防護衣１の外から防護衣１の内側に簡単にアプローチすることができる。その結果、血液、体液などによる汚染を防ぎ、且つ検査着などの防護衣１の下に着ている衣服２に収納されている物品２２を取り出す作業を行ないやすい防護衣１を提供することができる。
【００６８】
さらに、本実施の形態では防護衣１のポケット部９３内には必要に応じてポケット本体９４の上側開口部９６から例えば内視鏡検査などの医療検査や処置等を行う際に使用される物品２２などを出し入れして収納することができる。そのため、防護衣１の使い勝手をさらに高めることができる。
【００６９】
また、図１０（Ｂ）は本発明の第９の実施の形態を示すものである。本実施の形態は、第６の実施の形態（図８（Ａ），（Ｂ）参照）の防護衣１のアプローチ部７１の構成を次の通り変更したものである。
【００７０】
すなわち、本実施の形態の防護衣１のアプローチ部１０１は、防護衣１の正面カバー７の上下方向に向けて縦向きに直線状に切り込まれた切り込みによって形成されたスリット１０２と、このスリット１０２を覆うように設けられたポケット部１０３とを有する。
【００７１】
ポケット部１０３は、袋状のポケット本体１０４を有する。このポケット本体１０４は、上下の端縁部および一側部側の端縁部にそれぞれ防護衣１の正面カバー７に縫い付けられた縫い付け部１０５が形成されている。さらに、ポケット本体１０４の上側の端縁部は正面カバー７に縫い付けられていないままの状態で保持されている。これにより、ポケット本体１０４の上側の端縁部によって防護衣１の内側へのアプローチ用の開口部１０６が形成されている。この開口部１０６は、スリット１０２と対向しない位置に配置されている。
【００７２】
なお、本実施の形態のポケット部１０３の下側の端縁部には、スリット１０２から離れる方向に向かうにしたがって深くなる傾斜が形成されている。これにより、ポケット部１０３に収容された物品がスリット１０２内に挿入され難くなっている。
【００７３】
また、ポケット部１０３の上側開口部１０６の近傍部位には例えば布地を折り返して他の部分よりも硬くした硬質部１０７が形成されている。この硬質部１０７は布地の折り返し部に補強用の心材を巻きつけても良い。
【００７４】
次に、上記構成の作用について説明する。本実施の形態の防護衣１の着用時に従事者Ｈが防護衣１の下に着用する衣服２の胸ポケット１９に収納している物品２２（図２（Ａ），（Ｂ）参照）を防護衣１の外側に取り出す場合にはアプローチ部１０１が使用される。このとき、従事者Ｈは図１０（Ｂ）中に矢印で示すようにアプローチ部１０１のポケット本体１０４の上側のアプローチ用の開口部１０６に手指を挿入する。その後、防護衣１のスリット１０２から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット１０２およびポケット本体１０４の上側の開口部１０６を順次介して防護衣１の外側に取り出す。
【００７５】
また、防護衣１のポケット部１０３内には必要に応じてポケット本体１０４の上側のアプローチ用の開口部１０６から例えば内視鏡検査などの医療検査や処置等を行う際に使用される物品２２などを出し入れして収納することができる。
【００７６】
そこで、上記構成のものにあっては次の効果を奏する。すなわち、本実施の形態の防護衣１のアプローチ部１０１は、縦長のスリット１０２と、このスリット１０２を覆うポケット部１０３とを設けるとともに、ポケット本体１０４の上側開口部１０６は、スリット１０２と対向しない位置に配置している。これにより、医療検査および処置の際に従事者Ｈが着用する防護衣１のアプローチ用のスリット１０２をポケット本体１０４で覆っているので、例えば血液や、体液などの汚れが防護衣１のスリット１０２を通して防護衣１の下の衣服２側に直接侵入することを防止することができる。さらに、スリット１０２と対向しない位置に配置されているポケット本体１０４のアプローチ用の開口部１０６からスリット１０２に手を差し込むことにより、防護衣１の外から防護衣１の内側に簡単にアプローチすることができる。その結果、血液、体液などによる汚染を防ぎ、且つ検査着などの防護衣１の下に着ている衣服２に収納されている物品２２を取り出す作業を行ないやすい防護衣１を提供することができる。
【００７７】
さらに、本実施の形態では防護衣１のポケット部１０３内には必要に応じてポケット本体１０４の上側開口部１０６から例えば内視鏡検査などの医療検査や処置等を行う際に使用される物品２２などを出し入れして収納することができる。そのため、防護衣１の使い勝手をさらに高めることができる。
【００７８】
また、図１１は本発明の第１０の実施の形態を示すものである。本実施の形態は、第６の実施の形態（図８（Ａ），（Ｂ）参照）の防護衣１のアプローチ部７１の構成を次の通り変更したものである。
【００７９】
すなわち、本実施の形態の防護衣１のアプローチ部１１１は、防護衣１の正面カバー７の上下方向に向けて縦向きに直線状に切り込まれた切り込みによって形成されたスリット１１２と、このスリット１１２を覆うように正面カバー７の上下方向に対して斜めに設けられたポケット部１１３とを有する。
【００８０】
ポケット部１１３は、袋状のポケット本体１１４を有する。このポケット本体１１４は、左右の端縁部および下側の端縁部にそれぞれ防護衣１の正面カバー７に縫い付けられた縫い付け部１１５が形成されている。さらに、ポケット本体１１４の上側の端縁部は正面カバー７に縫い付けられていないままの状態で保持されている。これにより、ポケット本体１１４の上側の端縁部によって防護衣１の内側へのアプローチ用の開口部１１６が形成されている。この開口部１１６は、スリット１１２と対向しない位置に配置されている。
【００８１】
なお、本実施の形態のポケット部１１３は、正面カバー７の上下方向に対して斜めに配置されているので、ポケット部１１３の下側の端縁部には、スリット１１２から離れる方向に向かうにしたがって深くなる傾斜が形成されている。これにより、ポケット部１１３に収容された物品がスリット１１２内に挿入され難くなっている。
【００８２】
また、ポケット部１１３の側部開口部１１６の近傍部位には例えば布地を折り返して他の部分よりも硬くした硬質部１１７が形成されている。この硬質部１１７は布地の折り返し部に補強用の心材を巻きつけても良い。
【００８３】
次に、上記構成の作用について説明する。本実施の形態の防護衣１の着用時に従事者Ｈが防護衣１の下に着用する衣服２の胸ポケット１９に収納している物品２２（図２（Ａ），（Ｂ）参照）を防護衣１の外側に取り出す場合にはアプローチ部１１１が使用される。このとき、従事者Ｈは図１１中に矢印で示すようにアプローチ部１１１のポケット本体１１４の上側のアプローチ用の開口部１１６に手指を挿入する。その後、防護衣１のスリット１１２から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット１１２およびポケット本体１１４の上側の開口部１１６を順次介して防護衣１の外側に取り出す。
【００８４】
また、防護衣１のポケット部１１３内には必要に応じてポケット本体１１４の上側のアプローチ用の開口部１１６から例えば内視鏡検査などの医療検査や処置等を行う際に使用される物品２２などを出し入れして収納することができる。
【００８５】
そこで、上記構成のものにあっては次の効果を奏する。すなわち、本実施の形態の防護衣１のアプローチ部１１１は、縦長のスリット１１２と、このスリット１１２を覆う斜めのポケット部１１３とを設けるとともに、ポケット本体１１４の上側開口部１１６は、スリット１１２と対向しない位置に配置している。これにより、医療検査および処置の際に従事者Ｈが着用する防護衣１のアプローチ用のスリット１１２をポケット本体１１４で覆っているので、例えば血液や、体液などの汚れが防護衣１のスリット１１２を通して防護衣１の下の衣服２側に直接侵入することを防止することができる。さらに、スリット１１２と対向しない位置に配置されているポケット本体１１４のアプローチ用の開口部１１６からスリット１１２に手を差し込むことにより、防護衣１の外から防護衣１の内側に簡単にアプローチすることができる。その結果、血液、体液などによる汚染を防ぎ、且つ検査着などの防護衣１の下に着ている衣服２に収納されている物品２２を取り出す作業を行ないやすい防護衣１を提供することができる。
【００８６】
さらに、本実施の形態では防護衣１のポケット部１１３内には必要に応じてポケット本体１１４の上側開口部１１６から例えば内視鏡検査などの医療検査や処置等を行う際に使用される物品２２などを出し入れして収納することができる。そのため、防護衣１の使い勝手をさらに高めることができる。
【００８７】
また、図１２は本発明の第１１の実施の形態を示すものである。本実施の形態は第１の実施の形態（図１（Ａ），（Ｂ）乃至図３参照）の防護衣１の構成を次の通り変更したものである。
【００８８】
すなわち、本実施の形態の防護衣１は、正面カバー７に複数、本実施の形態では３つ（第１，第２，第３）のアプローチ部１２１，１２２，１２３を有する。第１のアプローチ部１２１は正面カバー７の上部に配置されている。この第１のアプローチ部１２１は、例えば従事者Ｈが防護衣１の内側に着用する衣服２の胸ポケット１９の位置と対応する位置に配置されている。
【００８９】
第２，第３のアプローチ部１２２，１２３は、例えば従事者Ｈが防護衣１の内側に着用する衣服２の腰部（例えばズボンやスカート）の左右のポケットの位置と対応する位置に配置されている。
【００９０】
また、第１のアプローチ部１２１は、防護衣１に形成されたスリット１２４と、このスリット１２４を覆うように設けられ、ほぼ矩形状で、かつシート状のカバー部材１２５とを有する。
【００９１】
スリット１２４は、防護衣１の正面カバー７の左右方向に向けて横向きに直線状に切り込まれた切り込みによって形成されている。カバー部材１２５は、例えば両側の端縁部にそれぞれ防護衣１の正面カバー７に縫い付けられた縫い付け部１２６が形成されている。さらに、カバー部材１２５の上下の端縁部は正面カバー７に縫い付けられていないままの状態で保持されている。これにより、カバー部材１２５の上下の端縁部によって防護衣１の内側へのアプローチ用の開口部１２７がそれぞれ形成されている。各開口部１２７は、スリット１２４と対向しない位置に配置されている。
【００９２】
第２のアプローチ部１２２は、防護衣１の正面カバー７の上下方向に向けて縦向きに直線状に切り込まれたスリット１２８と、このスリット１２８を覆うように設けられ、ほぼ矩形状で、かつシート状のカバー部材１２９とを有する。
【００９３】
カバー部材１２９は、例えば上下の端縁部にそれぞれ防護衣１の正面カバー７に縫い付けられた縫い付け部１３０が形成されている。さらに、カバー部材１２９の左右の端縁部は正面カバー７に縫い付けられていないままの状態で保持されている。これにより、カバー部材１２９の左右の端縁部によって防護衣１の内側へのアプローチ用の開口部１３１がそれぞれ形成されている。各開口部１３１は、スリット１２８と対向しない位置に配置されている。
【００９４】
なお、第３のアプローチ部１２３は、第２のアプローチ部１２２と同様に構成されている。
【００９５】
次に、上記構成の作用について説明する。本実施の形態の防護衣１の着用時に従事者Ｈが防護衣１の下に着用する衣服２の胸ポケット１９に収納している物品２２（図２（Ａ），（Ｂ）参照）を防護衣１の外側に取り出す場合には第１のアプローチ部１２１が使用される。このとき、従事者Ｈは第１のアプローチ部１２１のカバー部材１２５の上下のいずれか一方のアプローチ用の開口部１２７に手指を挿入する。その後、防護衣１のスリット１２４から手指を防護衣１の内側に挿入し、防護衣１の下の衣服２の胸ポケット１９の物品２２にアプローチする。この状態で、胸ポケット１９の物品２２を手指で掴み、その物品２２を防護衣１のスリット１２４およびカバー部材１２５の上下の開口部１２７のいずれか一方を順次介して防護衣１の外側に取り出す。
【００９６】
また、従事者Ｈが防護衣１の下に着用する衣服２の腰部（例えばズボンやスカート）の左右のポケットに収納している物品を防護衣１の外側に取り出す場合には第２，第３のアプローチ部１２２，１２３が使用される。このとき、従事者Ｈは第２，第３のアプローチ部１２２，１２３のカバー部材１２９の左右のいずれか一方のアプローチ用の開口部１３１に手指を挿入する。その後、防護衣１のスリット１２８から手指を防護衣１の内側に挿入し、防護衣１の下の衣服２の腰部（例えばズボンやスカート）の左右のポケットの物品にアプローチする。この状態で、腰部（例えばズボンやスカート）の左右のポケットの物品を手指で掴み、その物品を防護衣１のスリット１２８およびカバー部材１２９の左右の開口部１３１のいずれか一方を順次介して防護衣１の外側に取り出す。
【００９７】
そこで、上記構成のものにあっては次の効果を奏する。すなわち、本実施の形態の防護衣１は正面カバー７に３つ（第１，第２，第３）のアプローチ部１２１，１２２，１２３を設けている。そのため、本実施の形態でも第１の実施の形態と同様の効果が得られる。
【００９８】
さらに、本実施の形態では第１のアプローチ部１２１によって、例えば従事者Ｈが防護衣１の内側に着用する衣服２の胸ポケット１９の物品２２を防護衣１の外側に取り出すことができる。また、第２，第３のアプローチ部１２２，１２３によって従事者Ｈが防護衣１の下に着用する衣服２の腰部（例えばズボンやスカート）の左右のポケットに収納している物品を防護衣１の外側に取り出すことができる。そのため、防護衣１の使い勝手をさらに高めることができる。
【００９９】
さらに、本発明は上記実施の形態に限定されるものではなく、本発明の要旨を逸脱しない範囲で種々変形実施できることは勿論である。  
【産業上の利用可能性】
【０１００】
本発明は、例えば内視鏡検査などの医療検査や処置等を行う際に、医師や看護師等の従事者が検査室等で衣服の上に着用する防護衣を製造する技術分野や、防護衣を使用する技術分野で有効である。
【図面の簡単な説明】
【０１０１】
【図１】本発明の第１の実施の形態の防護衣の着用状態を示すもので、（Ａ）は従事者の正面側から見た図、（Ｂ）は背面側から見た図。
【図２】（Ａ）は第１の実施の形態の防護衣を着用する前の従事者を正面側から見た図、（Ｂ）は従事者のシャツのポケットを示す正面図。
【図３】第１の実施の形態の防護衣の外から内側にアプローチするアプローチ部分を示す正面図。
【図４】本発明の第２の実施の形態の防護衣のアプローチ部分を示す正面図。
【図５】本発明の第３の実施の形態の防護衣のアプローチ部分を示す正面図。
【図６】本発明の第４の実施の形態の防護衣のアプローチ部分を示す正面図。
【図７】本発明の第５の実施の形態を示すもので、（Ａ）は防護衣の着用状態を正面側から見た図、（Ｂ）は防護衣のアプローチ部分を示す正面図。
【図８】本発明の第６の実施の形態を示すもので、（Ａ）は防護衣の着用状態を正面側から見た図、（Ｂ）は防護衣のアプローチ部分を示す正面図。
【図９】本発明の第７の実施の形態の防護衣のアプローチ部分を示す正面図。
【図１０】（Ａ）は本発明の第８の実施の形態の防護衣のアプローチ部分を示す正面図、（Ｂ）は本発明の第９の実施の形態の防護衣のアプローチ部分を示す正面図。
【図１１】本発明の第１０の実施の形態の防護衣のアプローチ部分を示す正面図。
【図１２】本発明の第１１の実施の形態の防護衣の着用状態を正面側から見た図。
【符号の説明】
【０１０２】
１…防護衣、Ｈ…従事者、１６…アプローチ部、１７…スリット、１８…カバー部材、２１…開口部。
【図１】
2005350821.tif 000003
【図２】
2005350821.tif 000004
【図３】
2005350821.tif 000005
【図４】
2005350821.tif 000006
【図５】
2005350821.tif 000007
【図６】
2005350821.tif 000008
【図７】
2005350821.tif 000009
【図８】
2005350821.tif 000010
【図９】
2005350821.tif 000011
【図１０】
2005350821.tif 000012
【図１１】
2005350821.tif 000013
【図１２】
2005350821.tif 000014